(57)【特許請求の範囲】
【請求項１】
バーナの燃焼運転中に加熱される所定の被加熱部の温度を監視し、該温度が所定の過熱判定温度以上になったとき、前記バーナの燃焼運転を停止せしめる過熱防止手段と、前記バーナの点火／消火用の操作子とを備えた燃焼装置において、
前記過熱防止手段によるバーナの燃焼運転の停止が行われたとき、その旨を報知する第１報知手段と、前記過熱防止手段によるバーナの燃焼運転の停止後、前記被加熱部の温度が燃焼運転を再開可能な温度としてあらかじめ定めた所定の再運転可能温度以下に低下したとき、その旨を報知する第２報知手段と、前記第１及び第２報知手段を含む前記燃焼装置の電子機器への動作用電源を供給する電池と、前記点火／消火用の操作子の点火／消火操作に連動して、前記電池から前記電子機器への動作用電源の供給をＯＮ／ＯＦＦする主電源スイッチと、前記過熱防止手段による燃焼運転の停止が行なわれたとき、前記点火／消火用の操作子の消火側への操作により前記主電源スイッチがＯＦＦ操作された後も、少なくとも前記第２報知手段への動作用電源を該主電源スイッチを介さずに前記電池から該第２報知手段に供給せしめる補助給電手段とを備えたことを特徴とする燃焼装置。
【請求項２】
前記第１報知手段と第２報知手段とは共通の報知器を互いに異なる形態で動作させることによりそれぞれの報知を行うことを特徴とする請求項１記載の燃焼装置。
【発明の詳細な説明】
【０００１】
【発明の属する技術分野】
本発明は、ガスコンロ、グリル装置等の燃焼装置に関する。
【０００２】
【従来の技術】
ガスコンロ、グリル装置等の燃焼装置では、ガスコンロの筐体や、グリル装置の庫内等、燃焼運転中に加熱される所定の被加熱部の温度が所定の過熱判定温度以上の温度になると、該燃焼装置に備えられた各種電子機器の故障の回避や、安全性の確保等のために、燃焼運転を自動的に（強制的に）停止させる過熱防止手段を備えたものが一般に知られている。
【０００３】
この種の過熱防止手段は、例えば次のように構成されている。
【０００４】
すなわち、例えば、前記被加熱部の近傍に前記過熱判定温度以上の温度でＯＦＦするバイメタルスイッチを配置すると共に、このバイメタルスイッチをバーナへの燃料供給路に設けた電磁弁の通電線に接続する。そして、このバイメタルスイッチが、上記過熱判定温度以上の温度でＯＦＦすることで、電磁弁への通電（電磁弁を開弁保持するための電流）を遮断して該電磁弁を閉弁させ、これによりバーナの燃焼運転を停止させる。
【０００５】
あるいは、上記被加熱部の温度をサーミスタ等の温度センサにより直接的に検出し、その検出温度を前記電磁弁の動作制御等を担うマイクロコンピュータ等の制御回路に入力する。そして、その検出温度が上記過熱判定温度以上になったときに、上記制御回路により電磁弁への通電を強制的に遮断せしめて該電磁弁を閉弁させ、バーナの燃焼運転を停止させる。
【０００６】
ところで、このような過熱防止手段を備えた燃焼装置では、該過熱防止手段による燃焼運転の停止が行われた後に、前記被加熱部の温度がある程度低下すれば、燃焼運転を再開することが可能な状態となる。従って、過熱防止手段による燃焼運転の停止が行われたときには、使用者にその旨を報知することが望まれる。これにより、使用者は、被加熱部の過熱状態によって、燃焼運転が停止したことを認識することが可能となる。
【０００７】
しかるに、このような報知だけでは、使用者は、燃焼装置の燃焼運転をいつから再開することができるのかが判らない。このため、使用者は、過熱防止手段による燃焼運転の停止が行われた後、正常な燃焼運転を行うことができるようになるまでに、試行錯誤的に燃焼装置の運転開始操作（バーナの点火操作）を何度も繰り返したり、場合によっては、燃焼装置の故障と誤認して、業者に修理依頼をしてしまうというような不都合があった。
【０００８】
【発明が解決しようとする課題】
本発明はかかる背景に鑑みてなされたものであり、過熱防止手段による燃焼装置の燃焼運転の停止に際しての燃焼装置の作動処理を的確に行い、使用勝手や操作性に優れた燃焼装置を提供することを目的とする。
【０００９】
【課題を解決するための手段】
本発明の燃焼装置はかかる目的を達成するために、バーナの燃焼運転中に加熱される所定の被加熱部の温度を監視し、該温度が所定の過熱判定温度以上になったとき、前記バーナの燃焼運転を停止せしめる過熱防止手段と、前記バーナの点火／消火用の操作子とを備えた燃焼装置において、前記過熱防止手段によるバーナの燃焼運転の停止が行われたとき、その旨を報知する第１報知手段と、前記過熱防止手段によるバーナの燃焼運転の停止後、前記被加熱部の温度が燃焼運転を再開可能な温度としてあらかじめ定めた所定の再運転可能温度以下に低下したとき、その旨を報知する第２報知手段と、前記第１及び第２報知手段を含む前記燃焼装置の電子機器への動作用電源を供給する電池と、前記点火／消火用の操作子の点火／消火操作に連動して、前記電池から前記電子機器への動作用電源の供給をＯＮ／ＯＦＦする主電源スイッチと、前記過熱防止手段によるバーナの燃焼運転の停止が行なわれたとき、前記点火／消火用の操作子の消火側への操作により前記主電源スイッチがＯＦＦ操作された後も、少なくとも前記第２報知手段への動作用電源を該主電源スイッチを介さずに前記電池から該第２報知手段に供給せしめる補助給電手段とを備えたことを特徴とする。
【００１０】
かかる本発明によれば、前記過熱防止手段によるバーナの燃焼運転の停止が行われたときには、前記第１報知手段によって、その旨が報知されることで、使用者は、前記被加熱部が過熱状態となって燃焼運転が停止されたことを認識することができる。そして、使用者がこのような認識をした上で、前記被加熱部の温度が前記再運転可能温度以下に低下し、バーナの燃焼運転を再開することが可能になったときには、その旨が前記第２報知手段により報知される。このため、使用者は、第２報知手段による報知前に、燃焼装置の運転再開操作を試行錯誤的に繰り返したりすることなく、バーナの燃焼運転を再開することが可能となったときには、その状態を認識することができる。
【００１１】
従って、本発明によれば、過熱防止手段による燃焼装置の燃焼運転の停止に際しての燃焼装置の作動処理を的確に行い、使用勝手や操作性に優れた燃焼装置を提供できる。
【００１２】
尚、前記第１及び第２報知手段による具体的な報知形態としては、ランプの点灯や点滅、あるいは消灯、ブザーの鳴動、ＬＥＤ表示器や液晶表示器による表示、音声等による報知等が挙げられる。
【００１３】
また、前記再運転可能温度は、前記過熱判定温度よりも低く設定することが好ましい。
【００１６】
また、本発明の燃焼装置では、その電子機器（電磁弁や電子回路）の全体の動作用電源をＯＮ／ＯＦＦするための主電源スイッチは、使用者が燃焼装置の燃焼運転を開始させたり（バーナの点火動作を開始させる）、燃焼運転を終了する（バーナを消火する）ための点火／消火用の操作子と連動している。
【００１７】
そして、前記過熱防止手段によって燃焼運転が自動的に停止された場合には、燃焼運転を再開するための必要性から、基本的には、該点火／消火用の操作子を一旦、消火側に操作することで、該主電源スイッチがＯＦＦ操作される。
【００１８】
この場合、前記第１及び第２報知手段への動作用電源の給電を、他の電子機器への給電と同様に上記主電源スイッチのみを介して行うようにすると次のような不都合を生じる。すなわち、主電源スイッチのＯＦＦ操作が、前記第２報知手段による報知後に行われる場合には支障はないが、該第２報知手段による報知前に主電源スイッチがＯＦＦ操作された場合には、該第２報知手段にその動作用電源が供給されず、該第２報知手段による報知を行うことができなくなる。
【００１９】
そこで、本発明では、前記過熱防止手段によるバーナの燃焼運転の停止が行われたとき、該主電源スイッチがＯＦＦ操作された後も、少なくとも前記第２報知手段の動作用電源を該主電源スイッチを介さずに前記電池から該第２報知手段に供給せしめる補助給電手段を備える。
【００２０】
これにより、過熱防止手段による燃焼運転の停止後、第２報知手段による報知前に前記主電源スイッチがＯＦＦ操作された場合であっても、該第２報知手段は、前記被加熱部の温度が再運転可能温度以下に低下し、燃焼運転を再開することが可能になったときに、その旨の報知を確実に行うことができる。
かかる本発明では、前記第１報知手段と第２報知手段とは、各別の報知器（ランプやブザー等）による報知を行うようにしてもよいが、好ましくは、共通の報知器を互いに異なる形態で動作させることによりそれぞれの報知を行う。このようにすることで、第１報知手段及び第２報知手段の部品点数を削減し、燃焼装置のコスト低減を図ることができる。
【００２１】
【発明の実施の形態】
本発明の一実施形態を図１及び図２を参照して説明する。
【００２２】
図１を参照して、本実施形態の燃焼装置はグリル付ガスコンロであり、図中、１はコンロバーナ、２はグリルバーナ、３，４はそれぞれコンロバーナ１及びグリルバーナ２の点火／消火操作を行うためのコンロ用点火／消火ボタン及びグリル用点火／消火ボタンである。コンロバーナ１は、本実施形態のグリル付ガスコンロの本体ケース（図示省略）の上面部（天板部）に配置され、グリルバーナ２は該本体ケース内に形成されたグリル庫５に配置されている。また、点火／消火ボタン３，４は本体ケースの前面部に配置されている。
【００２３】
コンロバーナ１には、電磁弁６を備えるガス供給管７を介して燃料ガスが供給され、グリルバーナ２には、電磁弁８を備えるガス供給管９を介して燃料ガスが供給される。尚、図示を省略するが、ガス供給管７，９には、それぞれ使用者による手動操作が可能なガス量調節弁も備えられている。
【００２４】
また、本実施形態のグリル付ガスコンロには、コンロバーナ１の燃焼運転中に加熱される被加熱部としての本体ケースの上面部（天板）の温度を検出する温度センサ１０と、グリルバーナ２の燃焼運転中に加熱される被加熱部としてのグリル庫５内の温度を検出する温度センサ１１と、後述の報知を行うための報知器としての報知ランプ１２，１３及び報知ブザー１４と、電池１５を動作用電源として前記電磁弁６，８や報知ランプ１２，１３、報知ブザー１４等の動作制御を行う制御回路ユニット１６とが備えられている。
【００２５】
制御回路ユニット１６は、点火／消火ボタン３，４のそれぞれの点火／消火操作に連動してＯＮ／ＯＦＦする主電源スイッチとしてのマイクロスイッチ１７，１８を介して電池１５に接続され、基本的には、これらのマイクロスイッチ１７，１８のいずれかがＯＮ操作されたときに、動作用電源が電池１５から供給されるようになっている。
【００２６】
尚、図１中、１９，２０はそれぞれコンロバーナ１用、グリルバーナ２用の点火電極、２１はこれらの点火電極１９，２０に火花放電を生ぜしめるイグナイタである。
【００２７】
前記制御回路ユニット１６を図２を参照してさらに詳説する。
【００２８】
この制御回路ユニット１６は、ＣＰＵ、ＲＡＭ、ＲＯＭにより構成されたマイクロコンピュータ２２（以下、マイコン２２という）と、このマイコン２２から与えられる指令に応じて前記電磁弁６，８、報知ランプ１２，１３、報知ブザー１４、イグナイタ２１をそれぞれ駆動する電磁弁駆動回路２３，２４、ランプ駆動回路２５，２６、ブザー駆動回路２７及びイグナイタ駆動回路２８と、温度センサ１０，１１の検出信号をそれぞれＡ／Ｄ変換してマイコン２２に与えるセンサ信号入力回路２９，３０とを具備している。
【００２９】
この場合、マイコン２２は、その機能的な手段として、前記本体ケース（図示しない）の天板や、グリル庫５内の過熱を防止するための電磁弁６，８の動作制御をそれぞれ電磁弁駆動回路２３，２４を介して行う過熱防止制御手段２２ａと、前記報知ランプ１２，１３及び報知ブザー１４の動作制御をそれぞれランプ駆動回路２５，２６及びブザー駆動回路２７を介して行う報知制御手段２２ｂとを備えている。
【００３０】
尚、本発明の構成に対応させると、マイコン２２の過熱防止制御手段２２ａは、前記温度センサ１０，１１、センサ信号入力回路２９，３０、電磁弁駆動回路２３，２４及び電磁弁６，８と併せて過熱防止手段３１に相当するものである。また、マイコン２２の報知制御手段２２ｂは、ランプ駆動回路２５，２６、ブザー駆動回路２７、報知ランプ１２，１３及びブザー１４と併せて報知手段３２（第１報知手段及び第２報知手段の両者を含むもの）に相当するものである。
【００３１】
また、制御回路ユニット１６には、それが備える上記の各回路に、その動作用電源を電池１５からマイクロスイッチ１７又は１８を介して供給する主電源回路３３と、制御回路ユニット１６の各回路の動作用電源を必要に応じて電池１５からマイクロスイッチ１７又は１８を介さずに主電源回路３１に供給する副電源回路３４とを具備している。そして、マイコン２２には、副電源回路３４の動作制御を担う機能的手段としての電源制御手段２２ｃが備えられている。
【００３２】
この場合、主電源回路３３は、それに電池１５の出力電圧が与えられたとき、図示しないコンデンサや定電圧レギュレータを介して、マイコン２２や各駆動回路２３〜２８等にその動作用電源を供給する。
【００３３】
また、副電源回路３４は、マイコン２２の電源制御手段２２ｃの機能により該マイコン２２から与えられる指令信号に応じてＯＮ／ＯＦＦするスイッチングトランジスタ３４ａを介して電池１５を主電源回路３３に接続している。そして、スイッチングトランジスタ３４ａがＯＮ状態となることで、電池１５の出力電圧を直接的に主電源回路３３に与え、該主電源回路３３を介してマイコン２２や各駆動回路２３〜２８等にその動作用電源を供給せしめる。
【００３４】
尚、本発明の構成に対応させると、副電源回路３４は、マイコン２２の電源制御手段２２ｃ及び主電源回路３３と併せて補助給電手段３５に相当するものである。
【００３５】
また、図示は省略するが、マイコン２２には、例えば各マイクロスイッチ１７，１８の後段（各マイクロスイッチ１７，１８と主電源回路３３の間の箇所）から、抵抗等を介して各マイクロスイッチ１７，１８のＯＮ／ＯＦＦに応じた信号（高低２値レベル信号）が与えられるようになっている。そして、マイコン２２はその信号により、各マイクロスイッチ１７，１８がＯＮ状態であるか否か、すなわち、前記各点火／消火ボタン３，４の操作状態を認識するようにしている。
【００３６】
また、図示及び詳細な説明は省略するが、各バーナ１，２の近傍には、熱電対が設けられており、マイコン２２は、その熱電対の出力信号に基づき、各バーナ１，２の燃焼炎の有無を検知するようにしている。
【００３７】
次に、本実施形態のグリル付ガスコンロの作動を説明する。まず、コンロバーナ１側の運転に関して説明する。尚、ここでの説明では、グリルバーナ２の燃焼運転は行われておらず、マイクロスイッチ１８はＯＦＦ状態であるとする。
【００３８】
使用者が、コンロバーナ１の燃焼運転を行うべく、コンロ用点火／消火ボタン３の点火操作を行うと、電磁弁６が機械的に開弁側に駆動されてコンロバーナ１への燃料供給が開始されると共に、マイクロスイッチ１７がＯＮ状態となる。このとき、電池１５からマイクロスイッチ１７を介して主電源回路３３に電池１５の出力電圧が付与され、該主電源回路３３からマイコン２２等の各回路に動作用電源が供給される。
【００３９】
そして、マイコン２２は、その動作用電源が供給されると、イグナイタ駆動回路２８を介してイグナイタ２１を駆動し、点火電極１９に火花放電を生ぜしめる。これにより、コンロバーナ１の点火が行われる。
【００４０】
さらに、マイコン２２は、コンロバーナ１側の熱電対（図示しない）の出力信号により該バーナ１の着火を検知すると、電磁弁駆動回路２３を介してコンロバーナ１側の電磁弁６に通電せしめる。これにより、コンロ用点火／消火ボタン３の点火操作を解除されても、該電磁弁６が開弁保持されるようにし、コンロバーナ１の燃焼運転を開始させる。
【００４１】
このようにして、コンロバーナ１の燃焼運転が開始すると、マイコン２２は、報知制御手段２２ｂの機能によって、ランプ駆動回路２５を介して報知ランプ１２に継続的に通電せしめることで、該報知ランプ１２を点灯させ、これにより、コンロバーナ１の燃焼運転中である旨の報知を行う。
【００４２】
また、マイコン２２は、過熱防止制御手段２２ａの機能によって、温度センサ１０からセンサ信号入力回路２９を介して与えられる温度データ（本体ケースの天板の検出温度）を監視する。そして、その検出温度が、所定のコンロ用過熱判定温度（例えば２６０°Ｃ）以上になると、マイコン２２は、過熱防止制御手段２２ａの機能により、電磁弁駆動回路２３を介して電磁弁６への通電を遮断せしめる。これにより、電磁弁６が閉弁してコンロバーナ１への燃料ガスの供給が遮断され、該コンロバーナ１が強制的に消火される。そして、この消火によって、本体ケースの天板が過熱状態となるのが防止される。
【００４３】
このように電磁弁６への通電を遮断して、電磁弁６を閉弁せしめたとき、マイコン２２は、その報知制御手段２２ｂの機能によって、ランプ駆動回路２５を介して報知ランプ１２に間欠的に通電せしめることで、該報知ランプ１２を点滅させる。同時に、ブザー駆動回路２７を介して報知ブザー１４に通電せしめ、該報知ブザー１４を所定時間（例えば、５秒間）、継続的に鳴動させる。
【００４４】
このような報知ランプ１２の点滅と、報知ブザー１４の鳴動とによって、本体ケースの天板の過熱防止のために、コンロバーナ１の燃焼運転を強制的に停止させた旨が使用者に報知される。そして、この報知によって、使用者は、いずれ、コンロバーナ１の燃焼運転を再開することが可能となることを認識することができる。
【００４５】
さらに、マイコン２２は、電源制御手段２２ｃの機能によって、副電源回路３４のスイッチングトランジスタ３４ａをＯＮ状態に制御することで、電池１５の出力電圧が主電源回路３３にスイッチングトランジスタ３４ａを介して与えられる状態にする。これにより、上記のような報知を受けた使用者が、コンロ用点火／消火ボタン３の消火操作を行い、マイクロスイッチ１７がＯＦＦにされても、制御回路ユニット１６のマイコン２２等の各回路にはその動作用電源が継続的に供給されることとなる。
【００４６】
マイコン２２は、上記のような報知を行った後、温度センサ１０からセンサ信号入力回路２９を介して与えられる温度データ（本体ケースの天板の検出温度）を引き続き監視する。そして、その温度が、前記コンロ用過熱判定温度よりも若干低く定めたコンロ用再運転可能温度（例えば２５０°Ｃ）まで低下すると、マイコン２２は、その報知制御手段２２ｂの機能によって、ランプ駆動回路２５を介して報知ランプ１２に所定時間（例えば３秒間）、継続的に通電せしめることで、該報知ランプ１２を該所定時間、点灯させる。同時に、ブザー駆動回路２７を介して報知ブザー１４に通電せしめ、該報知ブザー１４を上記所定時間（３秒間）、継続的に鳴動させる。また、このような報知ランプ１２の点灯及び報知ブザー１４の鳴動の終了後には、マイコン２２は、電源制御手段２２ｃの機能によって、副電源回路３４のスイッチングトランジスタ３４ａをＯＦＦ状態にし、該副電源回路３４による動作用電源の供給を停止させる。
【００４７】
このような報知ランプ１２の点灯と、報知ブザー１４の鳴動とによって、コンロバーナ１の燃焼運転を再開することが可能となった旨が使用者に報知され、使用者は、その旨を認識することができる。そして、その認識に応じて使用者が、再びコンロ用点火／消火ボタン３の点火操作をすれば、支障なくコンロバーナ１の燃焼運転を再開することができる。
【００４８】
このとき、前述の如く過熱防止のためにコンロバーナ１が強制的に停止されてから、温度センサ１０による検出温度が再運転可能温度以下に低下し、コンロバーナ１の燃焼運転を再開することが可能となるまでに、使用者がコンロ用点火／消火ボタン３の消火操作を行って、マイクロスイッチ１７がＯＦＦされることがあるが、マイコン２２等の各回路には、その動作用電源が副電源回路３４を介して供給されるため、コンロバーナ１の燃焼運転を再開することが可能となった旨の報知を支障なく行うことができる。
【００４９】
次に、グリルバーナ２側の運転に関して説明する。尚、ここでの説明では、コンロバーナ１の燃焼運転は行われておらず、マイクロスイッチ１７はＯＦＦ状態であるとする。
【００５０】
前述のようなコンロバーナ１側の作動は、グリルバーナ２側についても同様に行われる。
【００５１】
すなわち、使用者が、グリル用点火／消火ボタン４の点火操作を行うと、コンロバーナ１側の場合と同様に、マイクロスイッチ１８のＯＮ、イグナイタ２１の駆動、電磁弁８への通電を経て、グリルバーナ２の燃焼運転が開始される。
【００５２】
そして、グリルバーナ２の燃焼運転が開始すると、マイコン２２は、報知制御手段２２ｂの機能によって、ランプ駆動回路２６を介して報知ランプ１３に継続的に通電せしめることで、該報知ランプ１３を点灯させ、これにより、グリルバーナ２の燃焼運転中である旨の報知を行う。
【００５３】
また、マイコン２２は、過熱防止制御手段２２ａの機能によって、温度センサ１１からセンサ信号入力回路３０を介して与えられる温度データ（グリル庫５内の検出温度）を監視し、その検出温度が、所定のグリル用過熱判定温度（例えば１０５°Ｃ）以上になると、電磁弁駆動回路２４を介して電磁弁８への通電を遮断せしめる。これにより、電磁弁８が強制的に閉弁されて、グリルバーナ２が強制的に消火される。そして、この消火によって、グリル庫５内が過熱状態となるのが防止される。
【００５４】
このようにグリルバーナ２を消火せしめたとき、マイコン２２は、その報知制御手段２２ｂの機能によって、ランプ駆動回路２６を介して報知ランプ１３を点滅させると共に、ブザー駆動回路２７を介して報知ブザー１４を所定時間（例えば、５秒間）、継続的に鳴動させる。尚、この報知ブザー１４の鳴動に際しては、前述したコンロバーナ１の過熱防止のための消火に際しての報知ブザー１４の鳴動の場合と音色を変更する等してもよい。
【００５５】
このような報知ランプ１３の点滅と、報知ブザー１４の鳴動とによって、グリル庫５内の過熱防止のために、グリルバーナ２の燃焼運転を強制的に停止させた旨が使用者に報知される。そして、この報知によって、使用者は、いずれ、グリルバーナ２の燃焼運転を再開することが可能となることを認識することができる。
【００５６】
さらに、グリル用点火／消火ボタン４の消火操作の有無にかかわらず、マイコン２２等への動作用電源の供給を副電源回路３４を介して継続するために、マイコン２２は、電源制御手段２２ｃの機能によって、副電源回路３４のスイッチングトランジスタ３４ａをＯＮ状態に制御する。
【００５７】
マイコン２２は、上記のような報知を行った後、温度センサ１１からセンサ信号入力回路３０を介して与えられる温度データ（グリル庫５内の検出温度）を引き続き監視し、その温度が、グリル用再運転可能温度（例えば９５°Ｃ）まで低下すると、その報知制御手段２２ｂの機能によって、ランプ駆動回路２５を介して報知ランプ１３を所定時間（例えば３秒間）、点灯させる。同時に、ブザー駆動回路２７を介して報知ブザー１４を上記所定時間（３秒間）、継続的に鳴動させる。尚、この報知ブザー１４の鳴動に際しては、前述したコンロバーナ１の再運転可能時の報知ブザー１４の鳴動の場合と音色を変更する等してもよい。
【００５８】
また、このような報知ランプ１３の点灯及び報知ブザー１４の鳴動の終了後には、マイコン２２は、電源制御手段２２ｃの機能によって、副電源回路３４のスイッチングトランジスタ３４ａをＯＦＦ状態にし、該副電源回路３４による動作用電源の供給を停止させる。
【００５９】
このような報知ランプ１３の点灯と、報知ブザー１４の鳴動とによって、グリルバーナ２の燃焼運転を再開することが可能となった旨が使用者に報知され、使用者は、その旨を認識することができる。そして、その認識に応じて使用者が、再びグリル用点火／消火ボタン４の点火操作をすれば、支障なくグリルバーナ２の燃焼運転を再開することができる。
【００６０】
このとき、グリルバーナ２の強制的な消火後、燃焼運転を再開することが可能となるまでは、使用者がグリル用点火／消火ボタン４の消火操作を行って、マイクロスイッチ１８がＯＦＦされても、マイコン２２等の各回路には、その動作用電源が副電源回路３４を介して供給されるため、グリルバーナ２の燃焼運転を再開することが可能となった旨の報知を支障なく行うことができる。
【００６１】
以上説明したように本実施形態のグリル付ガスコンロでは、コンロバーナ１の燃焼運転中に、その燃焼により加熱される本体ケースの天板が過熱状態となるのを防止するためにコンロバーナ１を強制的に消火したときに、その旨の報知が報知ランプ１２及び報知ブザー１４によってなされる。そして、その後、本体ケースの天板の温度（温度センサ１０の検出温度）がコンロ用再運転可能温度以下に低下し、コンロバーナ１の燃焼運転を再開しても支障のない状態になると、その旨の報知が報知ランプ１２及び報知ブザー１４によってなされる。
【００６２】
同様に、グリルバーナ２の燃焼運転中に、その燃焼により加熱されるグリル庫５内が過熱状態となるのを防止するためにグリルバーナ２を強制的に消火したときに、その旨の報知が報知ランプ１３及び報知ブザー１４によってなされる。そして、その後、グリル庫５内の温度（温度センサ１１の検出温度）がグリル用再運転可能温度以下に低下し、グリルバーナ２の燃焼運転を再開しても支障のない状態になると、その旨の報知が報知ランプ１３及び報知ブザー１４によってなされる。
【００６３】
これにより、コンロバーナ１やグリルバーナ２の強制的な消火後、使用者は、試行錯誤的に、各バーナ１，２の点火操作を繰り返したりすることなく、各バーナ１，２の燃焼運転を再開することが可能となるタイミングを確実に認識することができ、グリル付ガスコンロの使い勝手を向上させることができる。
【００６４】
また、本実施形態では、コンロバーナ１の強制的な消火時における報知と、該コンロバーナ１の再運転可能時における報知とは、共通の報知ランプ１２及び報知ブザー１４によって行われる。同様に、グリルバーナ２の強制的な消火時における報知と、該グリルバーナ２の再運転可能時における報知とは、共通の報知ランプ１３及び報知ブザー１４によって行われる。このため、それらの報知のための部品点数を少ないものとして、本実施形態のグリル付ガスコンロの製造コストを低減することができる。
【００６５】
尚、以上説明した実施形態では、グリル付ガスコンロを例にとって説明したが、グリルを有さないガスコンロや、単体のグリルについても本発明を適用することができ、また、ガスコンロは、内炎式のものであってもよい。さらには、グリルや、ガスコンロ以外にも、オーブン、温風暖房機、給湯器等の燃焼装置についても本発明を適用することができる。
【００６６】
また、前記実施形態では、過熱防止手段３１は、本体ケースの天板やグリル庫５内の温度を温度センサ１０，１１により直接的に検出し、その検出温度に応じて過熱防止のためのコンロバーナ１やグリルバーナ２の消火を行うようにしたが、設定温度以上の温度でＯＦＦするバイメタルスイッチ（感温スイッチ）を用いて過熱防止手段を構成してもよい。
【００６７】
すなわち、この場合には、例えばガスコンロの天板の近傍にバイメタルスイッチを配置し、このバイメタルスイッチをコンロバーナの燃料供給路に設けた電磁弁の通電経路に介装する。このようにすることで、ガスコンロの天板が加熱され、バイメタルスイッチの設定温度（過熱判定温度）以上になると、該バイメタルスイッチがＯＦＦして電磁弁の通電が遮断されるので、該電磁弁を閉弁させてコンロバーナを強制的に消火することができる。そして、この場合に、前記実施形態と同様の報知を行うためには、バイメタルスイッチがＯＮ状態であるかＯＦＦ状態であるかを、例えば該バイメタルスイッチ部分での通電が可能であるかによって検知し、バイメタルスイッチがＯＮ状態からＯＦＦ状態に切り換わったときに、その旨の報知を行う。さらに、その後、バイメタルスイッチがＯＦＦ状態からＯＮ状態に切り換わったときに、その旨の報知を行うようにすればよい。尚、この場合、上記電磁弁の開弁保持用の電源は、電池等を使用してもよいことはもちろんであるが、コンロバーナの燃焼炎を検知する熱電対の起電力を電磁弁の開弁保持用の電源として用いてもよい。
【００６８】
また、前述の実施形態では、コンロバーナ１やグリルバーナ２を強制的に消火した際の報知と、その後の最運転可能時における報知とを報知ランプ１２又は１３と報知ブザー１４とにより行うようにしたが、それらの報知を報知ランプあるいは報知ブザーのいずれか一方のみにより行うようにしてもよい。また、報知ランプに代えて、液晶表示器やＬＥＤ表示器の文字表示等による報知を行うようにしてもよく、あるいは、報知ブザーに代えて、音声等による報知を行うようにしてもよい。
【図面の簡単な説明】
【図１】本発明の燃焼装置の一実施形態であるグリル付ガスコンロの全体のシステム構成図。
【図２】図１のグリル付ガスコンロの要部の回路構成図。
【符号の説明】
１２，１３…報知ランプ（報知器）、１４…報知ブザー（報知器）、１７，１８…マイクロスイッチ（主電源スイッチ）、３１…過熱防止手段、３２…報知手段、３５…補助給電手段。
【図１】
0003860360.tif 000002
【図２】
0003860360.tif 000003